(57)【要約】【課題】スパウトに水をかけても、水がスパウト内の電気コードに達することを防止する、壁取付け型の水栓を提供する。【解決手段】本発明による水栓(1)は、スパウト(4)を有し、その内面(14)に、センサ(16)及び吐水口(18)が取付けられる。水栓(1)は、更に、吐水口(18)に接続された通水管(20)と、センサ(16)に接続された電気コード(22)を有する。スパウト(4)の管状の取付け口(10c)は、台座(34)を介して壁(2)に取付けられる。台座(34)は、壁(2)に固定されるフランジ固定部(38)と、それから壁(2)に対して横方向に延びる筒部(40)と、通水管(20)及び電気コード(22)が通る貫通孔(40b)を有する。筒部(40)は、取付け口(10c)の内側に嵌合する外周面(40a)を有し、外周面(40a)は、その上側部分(40ab)に、周方向に延びる溝(40d)を有する。【選択図】図３
2010229756.tif 000002
【特許請求の範囲】
【請求項１】
壁取付け型の水栓であって、
壁の表側に取付けられるように構成されたスパウトを有し、前記スパウトは、内部空間と、電気部品及び吐水口とを備え、
更に、前記吐水口に接続された通水管と、
前記電気部品に接続された電気コードと、を有し、
前記スパウトは、前記通水管及び前記電気コードが前記スパウトの内部空間から外に延びる管状の取付け口を有し、前記管状の取付け口は、前記通水管及び前記電気コードが前記壁の裏側に延びるように台座を介して前記壁に取付けられ、
前記台座は、前記壁に固定されるフランジ固定部と、前記フランジ固定部から前記壁に対して横方向に延びる筒部と、前記通水管及び前記電気コードが通る貫通孔とを有し、前記筒部は、前記スパウトの管状の取付け口の内側に嵌合する外周面を有し、
前記外周面は、その上側部分に、周方向に延びる溝を有することを特徴とする水栓。
【請求項２】
前記筒部の外周面は、その下側部分に、前記スパウトの取付け口を下方から固定するためのネジ山付き孔を有し、
前記ネジ山付き孔の位置と前記溝の位置は、前記スパウトの長手方向に一致し、
前記溝は、前記外周面の全周にわたって設けられることを特徴とする、請求項１に記載の水栓。
【請求項３】
更に、前記台座のフランジ固定部を覆うフランジカバーを有し、前記フランジカバーは、前記台座の筒部と前記スパウトの取付け口とを嵌合させたときに前記スパウトによって前記フランジ固定部に押付けられるカバー平面部と、カバー平面部の周囲から壁に向かって延びるカバー側面部とを有し、前記カバー側面部の内側において、前記カバー平面部と壁との間にパッキンが設置されることを特徴とする、請求項１又は２に記載の水栓。
【発明の詳細な説明】
【技術分野】
【０００１】
本発明は、水栓に関し、特に、壁取付け型の水栓に関する。
【背景技術】
【０００２】
近年、設置面に水が溜まることがある手洗、洗面台取付け型の水栓と比較して、汚れにくいという清掃の利点を有し且つデザインがスマートである壁取付け型の水栓の要望がある。その中でも、センサ等の電気部品を備えた吐水部（スパウト）と、吐水及び止水の制御を行う制御機能部とが設けられた壁取付け型の自動水栓は、機械式の水栓のような操作部がなく、使い勝手が良い水栓である（例えば、特許文献１及び２参照）。
【先行技術文献】
【特許文献】
【０００３】
【特許文献１】特開２００３−２９３４０８号公報
【特許文献２】特開２００２−１６７８１９号公報
【発明の概要】
【発明が解決しようとする課題】
【０００４】
自動水栓等の電気部品を備えた水栓の場合、吐水部に接続される通水管及び電気部品に接続される電気コードが、スパウト内を通っている。スパウトに上から水をかけた場合、壁取付け型の水栓は、洗面台取付け型の水栓と異なり、スパウト内に水が浸入するおそれがある。水がスパウト内に浸入すると、電気コードに水がかかり、作動不良を起こす恐れがある。
【０００５】
そこで、本発明の目的は、スパウトに水をかけても、水がスパウト内の電気コードに達することを防止する、壁取付け型の水栓を提供することにある。
【課題を解決するための手段】
【０００６】
上記目的を達成するために、本発明による壁取付け型の水栓は、壁の表側に取付けられるように構成されたスパウトを有し、スパウトは、内部空間と、電気部品及び吐水口とを備え、更に、吐水口に接続された通水管と、電気部品に接続された電気コードと、を有し、スパウトは、通水管及び電気コードがスパウトの内部空間から外に延びる管状の取付け口を有し、管状の取付け口は、通水管及び電気コードが壁の裏側に延びるように台座を介して壁に取付けられ、台座は、壁に固定されるフランジ固定部と、フランジ固定部から壁に対して横方向に延びる筒部と、通水管及び電気コードが通る貫通孔とを有し、筒部は、スパウトの管状の取付け口の内側に嵌合する外周面を有し、外周面は、その上側部分に、周方向に延びる溝を有することを特徴としている。
【０００７】
このように構成された壁取付け型の水栓によれば、台座の筒部がスパウトの管状の取付け口の内側に嵌合しているので、水がスパウトと台座の隙間からスパウトの内部空間に浸入しにくい構造になっている。仮に、水がスパウトと台座の隙間から浸入して、毛細管現象により、筒部の外周面の上側部分と取付け口との間を伝わっていったとしても、筒部の外周面の上側部分の溝によって、水の移動が阻止される。その結果、スパウトの内部空間を通っている電気コードに水が達することが防止され、電気部品の作動不良を防止することができる。
【０００８】
上記壁取付け型水栓の実施形態において、好ましくは、筒部の外周面は、その下側部分に、スパウトの取付け口を下方から固定するためのネジ山付き孔を有し、ネジ山付き孔の位置と溝の位置は、スパウトの長手方向に一致し、溝は、外周面の全周にわたって設けられる。
【０００９】
この実施形態の水栓では、溝が筒部の外周面の上側部分だけでなく、全周にわたって設けられているので、仮に、水がスパウトと台座の隙間から浸入して、筒部の外周面の上側部分と取付け口との間を伝わっていったとしても、筒部の外周面の上側部分の溝によって、水の移動が阻止され、更に、水が溝に沿って下方に案内され、ネジ山付き孔を通って外に排出される。その結果、スパウトの内部空間を通っている電気コードに水が達することがより確実に防止され、電気部品の作動不良を防止することができる。
【００１０】
上記壁取付け型水栓の実施形態において、好ましくは、更に、台座のフランジ固定部を覆うフランジカバーを有し、フランジカバーは、台座の筒部とスパウトの取付け口とを嵌合させたときにスパウトによってフランジ固定部に押付けられるカバー平面部と、カバー平面部の周囲から壁に向かって延びるカバー側面部とを有し、カバー側面部の内側において、カバー平面部と壁との間にパッキンが設置される。
【００１１】
この実施形態の水栓では、フランジカバーは、台座の筒部とスパウトの取付け口とを嵌合させたときにスパウトによってフランジ固定部に押付けられる。一方、カバー平面部と壁との間にパッキンが設置されているので、フランジカバーは、パッキンの反発力によってスパウトに向かって押当てられる。そのため、水がスパウトと台座の隙間からスパウトの内部空間に浸入することがより確実に防止される。スパウトの内部空間を通っている電気コードに水が達することが更に確実に防止され、電気部品の作動不良を防止することができる。
【発明の効果】
【００１２】
上述したように、本発明による壁取付け型の水栓は、スパウトに水をかけても、水がスパウト内の電気コードに達することを防止することができる。
【図面の簡単な説明】
【００１３】
【図１】壁取付け型の自動水栓システムを示す斜視図である。
【図２】図１の自動水栓システムの部分的な側面図である。
【図３】水栓の拡大縦断面図である。
【図４】台座の斜視図である。
【図５】台座の縦断面図である。
【図６】壁の斜視図である。
【図７】連結管接続部の拡大縦断面図である。
【図８】内側接続部材の斜視図である。
【図９】内側接続部材の縦断面図である。
【図１０】外側接続部材の斜視図である。
【図１１】外側接続部材の縦断面図である。
【発明を実施するための形態】
【００１４】
図面を参照して、本発明による壁取付け型の水栓の実施形態を説明する。図１は、壁取付け型の自動水栓システムを示す斜視図である。図２は、図１の自動水栓システムの部分的な側面図である。図３は、後述するスパウトの拡大断面図である。図４及び図５はそれぞれ、後述する台座の斜視図及び縦断面図である。図６は、壁の斜視図である。図７は、連結管接続部の拡大縦断面図である。図８及び図９はそれぞれ、内側接続部材の斜視図及び縦断面図である。図１０及び図１１はそれぞれ、外側接続部材の斜視図及び縦断面図である。
【００１５】
図１に示すように、壁取付け型の自動水栓１は、垂直な壁２に取付けられた吐水部、即ち、スパウト４と、スパウト４とは別体で、スパウト４からの吐水を制御する制御機能部８とを有している。またボウル６が固定されたパネル５が壁２から水平に延びておりスパウト４からの吐水を受けるようになっている。さらに制御機能部８はパネル５の下方で壁２に取付けられている。
【００１６】
図２に示すように、スパウト４は、壁２の表側Ａに取付けられるように構成され、壁２から水平方向に延び、概略的には、円筒形状である。また、スパウト４は、内部空間１２を形成する内面１４を有しており、スパウト４の下方に手を差し出したことを感知するセンサ（電気部品）１６及び吐水口１８を内部空間１２に含んでいる。センサ１６及び吐水口１８は、内面１４に取付けられている。
【００１７】
水栓１は、更に、吐水口１８に連通接続され且つスパウト４の内部空間１２からスパウト４の外に延びる可撓性の通水管２０と、スパウト４内のセンサ１６に接続され且つスパウト４の内部空間１２から外に延びる電気コード２２とを有している。
【００１８】
通水管２０及び電気コード２２は両方とも、スパウト４が取付けられる壁２のところに設けられた第１の開口２４とそれから離れたところにおいて壁２に設けられた第２の開口２６との間を壁２の裏側Ｂで連結する湾曲した連結管（ＣＤ管）２８の中に、スパウト４の内部空間１２から第１の開口２４を通して挿入され、第２の開口２６から壁２の表側Ａに延びている。
【００１９】
通水管２０及び電気コード２２は、更に、制御機能部８に接続されている。制御機能部８は、センサ１６の信号に応答して、通水管２０への通水及び止水、即ちスパウト４からの吐水を行う電子制御バルブ２８を有し、通水管２０は、電子制御バルブ２８を介して供給管３０に接続されている。
【００２０】
図３に示すように、スパウト４は、管状の本体１０ａと、その一方の端部を塞ぐ蓋１０ｂを有している。蓋１０ｂは、本体１０ａの一方の端部に嵌合するように構成され、Ｏリング３２によってシールされている。また、本体１０ａの反対側、即ち、壁側の端部は、通水管２０及び電気コード２２がスパウト４の外に延びる管状の取付け口１０ｃを構成している。スパウト４の取付け口１０ｃは、台座３４を介して壁２に取付けられている。
【００２１】
センサ１６と吐水口１８とは、一体に組み立てられ、本体１０ａの一方の端部から本体１０ａの内部空間１２に挿入可能な形状を有している。吐水口１８は、本体１０ａの長手方向に延びる通路１８ａと、それと連通し且つ壁から離れる方向に斜め下方に延びる通路１８ｂとを有し、通路１８ｂには、本体１０ａの下側に設けられた孔１０ｄを介して先端ノズル１８ｃが取付けられている。センサ１６は、通路１８ｂが延びる方向と同じ方向に吐水口１８に取付けられ、孔１０ｄを介して、吐水させようとする人の手を感知するように配置されている。吐水口１８は、本体１０ａの下側に設けられた孔１０ｅを介して本体１０ａの内面１４にネジ留めされている。
【００２２】
吐水口１８の通路１８ａには、通水管２０が接続されている。通水管２０の外径は、例えば、１０〜１２ｍｍであり、例えば、軟質塩ビ管で作られている。また、本体１０ａの内径は、約２６ｍｍである。
【００２３】
電気コード２２は、スパウト４の内部空間１２内に設けられたコネクタ３６を介して接続された第１の部分２２ａ及び第２の部分２２ｂを有している。
【００２４】
図３〜図５に示すように、台座３４は、壁２に固定される板状のフランジ固定部３８と、フランジ固定部３８から壁２に対して横方向に延びる筒部４０と、通水管２０及び電気コード２２が通る貫通孔４０ｂとを有している。
【００２５】
筒部４０は、スパウト４の管状の取付け口１０ｃの内側に嵌合する外周面４０ａを有している。貫通孔４０ｂの寸法及び形状は、通水管２０及び電気コード２２を通すことができる程度にできるだけ小さいことが好ましい。外周面４０ａは、下側に位置する下側部分４０ａａと、上側に位置する上側部分４０ａｂと、両側の横側部分４０ａｃを有している。横側部分４０ａｃは、平面状である。スパウト４の取付け口１０ｃの内側の形状は、スパウト４の長手方向軸線周りの取付け角度を規定するために、筒部４０と相補的な形状を有していることが好ましい。筒部４０は、その下側部分４４ａａに、スパウト４の管状の取付け口１０ｃを下方から固定するためのネジ山付き孔４０ｃを有し、スパウト４は、本体１０ａの下側に設けられた孔１０ｆを介して、台座３４の筒部４０にネジ留めされている。
【００２６】
筒部４０の外周面４０ａに、周方向に延びる溝４０ｄが、少なくとも上側部分４０ａｂに、好ましくは、全周にわたって設けられている。溝４０ｄの位置とネジ山付き孔４０ｃの位置は、スパウト４の長手方向に一致していることが好ましい。
【００２７】
図３及び図６に示すように、フランジ固定部３８が固定される壁２は、表側のタイル壁２ａと、裏側の補強パネル２ｂによって構成されている。タイル壁２ａの厚さは、タイルの種類に応じて、４〜１２ｍｍである。補強パネル２ｂは、合板等で作られ、その厚さは、９〜１２．５ｍｍである。
【００２８】
第１の開口２４は、通水管２０及び電気コード２２が通る補強パネル２ｂの開口２ｃと、補強パネル２ｂの開口２ｃよりも大きいタイル壁２ａの開口２ｄとによって構成され、それにより、補強パネル２ｂに環状の露出面２ｅが形成されている。
【００２９】
図３及び図５に示すように、台座３４のフランジ固定部３８は、壁側の取付け面３８ａと、その反対側の面３８ｂと、取付け面３８ａの周囲に設けられた環状凹面３８ｃとを有し、取付け面３８ａに取付け孔３８ｄが設けられている。取付け面３８ａは、タイル壁２ａの開口２ｄよりも小さく且つ露出面２ｅに当接したスペーサ４２を介して、壁２に取付けられている。取付け孔３８ｄに挿入された取付けネジ４４が露出面２ｅに固定されるように、取付け孔３８ｄのピッチ（直径）は、タイル壁２ａの開口２ｄの直径よりも小さくなっている。
【００３０】
図３に示すように、スパウト４は、更に、台座３４のフランジ固定部３８を覆うフランジカバー４６を有している。フランジカバー４６は、筒部４０に挿入される貫通孔４６ｃを有し、且つ、筒部４０とスパウト４の取付け口１０ｃと嵌合させたときにスパウト４によってフランジ固定部３８に押付けられるカバー平面部４６ａと、カバー平面部４６ａの周囲から壁２に向かって延びるカバー側面部４６ｂとを有している。カバー側面部４６ｂの内側において、カバー平面部４６ａと壁２との間にパッキン４８が設置されている。
【００３１】
図３に示すように、連結管２８が第１の開口２４に通され、台座３４に固定されたスペーサ４２に当接している。また、図２に示すように、連結管２８は、壁２の後方（裏側）に設けられた連結管固定フレーム５０に、ブラケット５２を介して固定されている。
【００３２】
図７〜図１１に示すように、連結管接続部５４が第２の開口２６に取付けられている。第２の開口２６は、タイル壁２ａ及び補強パネル２ｂに形成された互いに同じ径の孔によって構成されている。連結管接続部５４は、内側接続部材５６と、外側接続部材５８とを有している。
【００３３】
図８及び図９に示すように、内側接続部材５６は、壁２に固定されるフランジ部分５６ａを有し、フランジ部分５６ａには、通水管２０及び電気コード２２が通る貫通孔５６ｂが設けられている。内側接続部材５６は、更に、フランジ部分５６ａから表側に延びる表側筒部分５６ｃと、それから裏側に延びる裏側筒部分５６ｄとを有している。表側筒部分５６ｃは、その内面に雌ネジ山５６ｅを有している。また、表側筒部分５６ｃは、上下左右の４箇所に切欠き５６ｆを有している。
【００３４】
図１０及び図１１に示すように、外側接続部材５８は、カバー板部分５８ａと、その周囲から壁２に向かって延びるカバー側面部分５８ｂを有している。カバー板部分５８ａには、通水管２０及び電気コード２２が通る貫通孔５８ｃが設けられている。外側接続部材５８は、更に、カバー板部分５８ａから裏側に延びる二重筒部分５８ｄを有している。二重筒部分５８ｄは、その外面に、内側接続部材５６の雌ネジ山５６ｅと螺合する雄ネジ山５８ｅを有している。
【００３５】
次に、水栓の組立て方法を説明する。
【００３６】
壁２に第１の開口２４及び第２の開口２６を形成し、連結管２８を、その両端部が第１の開口２４及び第２の開口に整列するように、壁２の裏側Ｂで連結管固定フレーム５０に固定する。第１の開口２４において、タイル壁２ａの開口２ｄを補強パネル２ｂの開口２ｃよりも大きくし、補強パネル２ｂの露出面２ｅを形成する。
【００３７】
タイル壁２ａの厚さとほぼ同じ厚さとなるようにスペーサ４２を準備し、露出面２ｅにスペーサ４２を押し当てながら、台座３４を壁２の補強パネル２ｂに固定する。台座３４の取付け面３８ａの周りの環状凹面３８ｃにより、台座３４のフランジ固定部３８とタイル壁２ａとの間に隙間ができる。
【００３８】
また、吐水口１８に通水管２０を接続し、センサ１６を取付ける。本体１０ａの一方の端部から、通水管２０及び電気コード２２を通し、反対側の端部（取付け口１０ｃ）から引出しておく。引き続いて、吐水口及１８びセンサ１６を本体１０ａの中に挿入する。吐水口１８を本体１０ａの孔１０ｅを利用して、ねじ留めし、吐水口１８に先端ノズル１８ｃを取付ける。更に、蓋１０ｂを本体１０ａに挿入する。
【００３９】
パッキン４８を台座３４の周囲にを配置し、フランジカバー４６を台座３４の筒部４０に挿入する。次いで、通水管２０及び電気コード２２を、フランジカバー４６の貫通孔４６ｃ、台座３４の貫通孔４０ｂ、第１の開口２４、連結管２８に通して、第２の開口２６から押出す。引き続いて、スパウト４を台座３４に押込む。スパウト４を、本体１０ａの孔１０ｆを利用して、ネジ留めする。パッキン４８によってフランジカバー４６と壁２との間がシールされると共に、フランジカバー４６がスパウト４に向かって押され、フランジカバー４６とスパウト４との間に簡易シールが形成される。
【００４０】
第２の開口２６から出ている通水管２０及び電気コード２２は、連結管２８の中で弛んでいるので、通水管２０及び電気コード２２を引出して弛みをとる。
【００４１】
通水管２０及び電気コード２２を内側接続部材５６の貫通孔５６ｂに通してから、内側接続部材５６を第２の開口２６のところにねじ留めする。次いで、通水管２０及び電気コード２２を外側接続部材５８の貫通孔５８ｃに通してから、外側接続部材５８を内側接続部材５６に螺合させる。次いで、通水管２０と電気コード２２を制御機能部８に接続する。
【００４２】
次に、スパウト４に水がかかった場合について説明する。
【００４３】
本実施形態では、フランジカバー４６のカバー平面部４６ａと壁２との間にパッキン４８が設置されている。従って、スパウト４に水がかかった場合、フランジカバー４６と壁との間から水が浸入することが防止される。
【００４４】
仮に、何らかの理由で、台座３４の内部に水が浸入した場合、連結管２８の中を通って第２の開口２６に達した水は、連結管接続部５４の内側接続部材５６と外側接続部材５８の間の隙間及び内側接続部材５６の切欠き５６ｆを通って、外側接続部材５８と壁２の間の隙間から排出される。そのため、連結管２８内に水が溜まることが防止される。
【００４５】
また、フランジカバー４６は、台座３４の筒部４０とスパウト４の取付け口１０ｃとを嵌合させたときにスパウト４によってフランジ固定部３８に押付けられる。一方、カバー平面部４６ａと壁２との間にパッキン４８が設置されているので、フランジカバー４６は、パッキン４８の反発力によってスパウト４に向かって押当てられる。そのため、水がスパウト４と台座３４の隙間からスパウト４の内部空間１２に浸入することが防止される。
【００４６】
仮に、何らかの理由で、水がスパウト４と台座３４の隙間から浸入して、毛細管現象により、筒部４０の外周面４０ａの上側部分４０ａｂと取付け口１０ｃとの間を伝わっていったとしても、筒部４０の外周面４０ａの上側部分４０ａｂの溝４０ｄによって、水の移動が阻止される。
【００４７】
また、溝４０ｄが筒部４０の外周面４０ａの上側部分４０ａｂだけでなく、全周にわたって設けられているので、仮に、水がスパウト４と台座３４の隙間から浸入して、筒部４０の外周面４０ａの上側部分４０ａｂと取付け口１０ｃとの間を伝わっていったとしても、溝４０ｄによって、水の移動が阻止され、更に、水が溝４０ｄに沿って下方に案内され、ネジ山付き孔４０ｃ、孔１０ｆを通って外に排出される。
【００４８】
それにより、スパウト４の内部空間１２を通っている電気コード２２に水が達することが防止され、センサ等の電気部品１６の作動不良を防止することができる。
【００４９】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【符号の説明】
【００５０】
１  水栓
２  壁
４  スパウト
１０ｃ  取付け口
１２  内部空間
１４  内面
１６  センサ（電気部品）
１８  吐水口
２０  通水管
２２  電気コード
３４  台座
３８  フランジ固定部
４０  筒部
４０ａ  外周面
４０ａａ  下側部分
４０ａｂ  上側部分
４０ｃ  ネジ山付き孔
４０ｄ  溝
４６  フランジカバー
４６ａ  カバー平面部
４６ｂ  カバー側面部
４８  パッキン
Ａ  表側
Ｂ  裏側
【図１】
2010229756.tif 000003
【図２】
2010229756.tif 000004
【図３】
2010229756.tif 000005
【図４】
2010229756.tif 000006
【図５】
2010229756.tif 000007
【図６】
2010229756.tif 000008
【図７】
2010229756.tif 000009
【図８】
2010229756.tif 000010
【図９】
2010229756.tif 000011
【図１０】
2010229756.tif 000012
【図１１】
2010229756.tif 000013